(57)【要約】【課題】  複数の誘電体層を積層する工程で発生する積層ずれによるフィルタ特性の減衰極の変動を低減することができるものとすること。【解決手段】  第１〜第３の誘電体層２１〜２３内に、第１，第３の共振器１１，１３が第２の誘電体層２２を挟んでそれぞれの少なくとも一部が平面視で重なるように平行に配され、第２，第４の共振器１２，１４が第２の誘電体層２２を挟んでそれぞれの少なくとも一部が平面視で重なるように平行に配され、第１，第２の共振器１１，１２ならびに第３，第４の共振器１３，１４が、第１〜第４の共振器１１〜１４の長さ方向平行で各誘電体層の主面に直交する平面に関して面対称に配置されているとともに、第１〜第４の共振器１１〜１４に第１〜第４の入出力端子６１ａ，６１ｂ，６２ａ，６２ｂが接続され、第１，第２の入出力端子６１ａ，６１ｂが接続され、第３，第４の入出力端子６２ａ，６２ｂが接続されている。【選択図】  図１
2005130248.tif 000002
【特許請求の範囲】
【請求項１】
第１の誘電体層と、該第１の誘電体層の上に積層された第２の誘電体層と、該第２の誘電体層の上に積層された第３の誘電体層と、前記第１の誘電体層の下面に配された第１の接地電極と、前記第１および第２の誘電体層の間に配された第１および第２の片端開放矩形状共振電極ならびに第１および第２の片端短絡矩形状共振電極と、前記第２および第３の誘電体層の間に配された第３および第４の片端開放矩形状共振電極ならびに第３および第４の片端短絡矩形状共振電極と、前記第３の誘電体層の上面に配された第２の接地電極とから成り、
前記第１および第３の片端開放矩形状共振電極は前記第２の誘電体層を挟んでそれぞれの少なくとも一部が平面視で重なるように平行に配され、前記第２および第４の片端開放矩形状共振電極は前記第２の誘電体層を挟んでそれぞれの少なくとも一部が平面視で重なるように平行に配され、
前記第１および第３の片端短絡矩形状共振電極は前記第２の誘電体層を挟んでそれぞれの少なくとも一部が平面視で重なるように平行に配され、前記第２および第４の片端短絡矩形状共振電極は前記第２の誘電体層を挟んでそれぞれの少なくとも一部が平面視で重なるように平行に配され、
前記第１および第２の接地電極は平面視で前記第１〜第４の片端開放矩形状共振電極ならびに前記第１〜第４の片端短絡矩形状共振電極を覆うように配され、
前記第１の片端開放矩形状共振電極の開放端と反対側の端部と、前記第１の片端短絡矩形状共振電極の短絡端と反対側の端部とを電気的に接続して第１の共振器を形成し、
前記第２の片端開放矩形状共振電極の開放端と反対側の端部と、前記第２の片端短絡矩形状共振電極の短絡端と反対側の端部とを電気的に接続して第２の共振器を形成し、
前記第３の片端開放矩形状共振電極の開放端と反対側の端部と、前記第３の片端短絡矩形状共振電極の短絡端と反対側の端部とを電気的に接続して第３の共振器を形成し、
前記第４の片端開放矩形状共振電極の開放端と反対側の端部と、前記第４の片端短絡矩形状共振電極の短絡端と反対側の端部とを電気的に接続して第４の共振器を形成し、
前記第１および第２の共振器ならびに前記第３および第４の共振器が、前記第１〜第４の共振器の長さ方向に平行で前記各誘電体層の主面に直交する平面に関して面対称に配置されているとともに、前記第１〜第４の共振器に夫々第１〜第４の入出力端子が電気的に接続され、前記第１の入出力端子と前記第２の入出力端子が電気的に接続され、前記第３の入出力端子と前記第４の入出力端子が電気的に接続されていることを特徴とするフィルタ装置。
【請求項２】
前記各接地電極、または前記各片端短絡矩形状共振電極の前記短絡端および前記各接地電極が、前記誘電体層の内部に形成された貫通導体および側面の少なくとも一方に形成された側面導体により電気的に接続されていることを特徴とする請求項１記載のフィルタ装置。
【発明の詳細な説明】
【技術分野】
【０００１】
本発明は、例えば携帯電話や無線ＬＡＮ等の無線通信機器その他の各種通信機器等において使用されるフィルタ装置に関するものである。
【背景技術】
【０００２】
近年、携帯電話機等の移動体通信機器等に使用されるフィルタ装置は、移動体通信機器等の薄型化、小型化の要求に伴い、誘電体同軸型共振器を用いたフィルタから分布定数回路を共振器に用いた積層ストリップラインフィルタへと進展してきている。
【０００３】
そのような従来の積層ストリップラインフィルタとして、特許文献１には、図６に透視斜視図および図７に透視平面図で示す構成のものが提案されている。
【０００４】
図６および図７において、７１は第１の誘電体層、７２は第１の誘電体層７１の上に積層された第２の誘電体層、７３は第２の誘電体層７２の上に積層された第３の誘電体層、８１は第１の誘電体層７１の下面に配された第１の接地電極、８２は第３の誘電体層７３の上面に配された第２の接地電極、８３，８４は、第１の誘電体層７１および第２の誘電体層７２の間に配した第１の片端開放矩形状共振電極および第１の片端短絡矩形状共振電極、８５，８６は、第２の誘電体層７２および第３の誘電体層７３の間に配した第２の片端開放矩形状共振電極および第２の片端短絡矩形状共振電極である。
【０００５】
第１および第２の片端開放矩形状共振電極８３，８５は略同一の形状を有し、平面視で平行に、かつ第１の片端開放矩形状共振電極８３の一部と第２の片端開放矩形状共振電極８５の一部とが第２の誘電体層７２を挟んで互いに重なるように配されている。
【０００６】
また、第１および第２の片端短絡矩形状共振電極８４，８６は略同一の形状を有し、平面視で平行に、かつ第１の片端短絡矩形状共振電極８４の一部と第２の片端短絡矩形状共振電極８６の一部とが第２の誘電体層７２を挟んで互いに重なるように配されている。
【０００７】
さらに、第１の片端開放矩形状共振電極８３の開放端９０と反対側の端部と、第１の片端短絡矩形状共振電極８４の短絡端９１と反対側の端部とが電気的に接続され、第２の片端開放矩形状共振電極８５の開放端９０と反対側の端部と、第２の片端短絡矩形状共振電極８６の短絡端９１と反対側の端部とが電気的に接続される構成となっていた。なお、図７においては、第１および第２の接地電極８１，８２の図示は省略している。
【０００８】
そして、第１および第２の片端開放矩形状共振電極８３，８５の幅Ｗ１、第１および第２の片端短絡矩形状共振電極８４，８６の幅Ｗ２、第１の片端開放矩形状共振電極８３と第２の片端開放矩形状共振電極８５とが第２の誘電体層７２を挟んで互いに重なる幅Ｗ３、ならびに第１の片端短絡矩形状共振電極８４と第２の片端短絡矩形状共振電極８６とが第２の誘電体層７２を挟んで互いに重なる幅Ｗ４を調整することにより、第１および第２の片端開放矩形状共振電極８３，８５間ならびに第１および第２の片端短絡矩形状共振電極８４，８６間で形成される結合として容量性結合が支配的となる場合は、通過帯域に対して低域側に減衰極を１個有するフィルタ特性を、逆に誘導性結合が支配的となる場合は、通過帯域に対して高域側に減衰極を１個有するフィルタ特性を実現していた。
【特許文献１】特開平９−３３１２０１号公報
【発明の開示】
【発明が解決しようとする課題】
【０００９】
しかしながら、このような従来の積層ストリップラインフィルタにおいては、第１〜第３の誘電体層７１〜７３を積層する工程において発生する積層ずれにより、第１の片端開放矩形状共振電極８３と第２の片端開放矩形状共振電極８５とが第２の誘電体層７２を挟んで互いに重なる幅Ｗ３、ならびに第１の片端短絡矩形状共振電極８４と第２の片端短絡矩形状共振電極８６とが第２の誘電体層７２を挟んで互いに重なる幅Ｗ４が変化することにより、第１および第２の片端開放矩形状共振電極８３，８５間の電磁界結合量、ならびに第１および第２の片端短絡矩形状共振電極間８４，８６の電磁界結合量が変化し、このため、所望のフィルタ特性に対して減衰極が大きく変動するという問題点があった。
【００１０】
本発明は上記問題点に鑑みて完成されたものであり、その目的は、複数の誘電体層を積層する工程において発生する積層ずれによるフィルタ特性の減衰極の変動を低減することができるフィルタ装置を提供することにある。
【課題を解決するための手段】
【００１１】
本発明のフィルタ装置は、  第１の誘電体層と、該第１の誘電体層の上に積層された第２の誘電体層と、該第２の誘電体層の上に積層された第３の誘電体層と、前記第１の誘電体層の下面に配された第１の接地電極と、前記第１および第２の誘電体層の間に配された第１および第２の片端開放矩形状共振電極ならびに第１および第２の片端短絡矩形状共振電極と、前記第２および第３の誘電体層の間に配された第３および第４の片端開放矩形状共振電極ならびに第３および第４の片端短絡矩形状共振電極と、前記第３の誘電体層の上面に配された第２の接地電極とから成り、
前記第１および第３の片端開放矩形状共振電極は前記第２の誘電体層を挟んでそれぞれの少なくとも一部が平面視で重なるように平行に配され、前記第２および第４の片端開放矩形状共振電極は前記第２の誘電体層を挟んでそれぞれの少なくとも一部が平面視で重なるように平行に配され、
前記第１および第３の片端短絡矩形状共振電極は前記第２の誘電体層を挟んでそれぞれの少なくとも一部が平面視で重なるように平行に配され、前記第２および第４の片端短絡矩形状共振電極は前記第２の誘電体層を挟んでそれぞれの少なくとも一部が平面視で重なるように平行に配され、
前記第１および第２の接地電極は平面視で前記第１〜第４の片端開放矩形状共振電極ならびに前記第１〜第４の片端短絡矩形状共振電極を覆うように配され、
前記第１の片端開放矩形状共振電極の開放端と反対側の端部と、前記第１の片端短絡矩形状共振電極の短絡端と反対側の端部とを電気的に接続して第１の共振器を形成し、
前記第２の片端開放矩形状共振電極の開放端と反対側の端部と、前記第２の片端短絡矩形状共振電極の短絡端と反対側の端部とを電気的に接続して第２の共振器を形成し、
前記第３の片端開放矩形状共振電極の開放端と反対側の端部と、前記第３の片端短絡矩形状共振電極の短絡端と反対側の端部とを電気的に接続して第３の共振器を形成し、
前記第４の片端開放矩形状共振電極の開放端と反対側の端部と、前記第４の片端短絡矩形状共振電極の短絡端と反対側の端部とを電気的に接続して第４の共振器を形成し、
前記第１および第２の共振器ならびに前記第３および第４の共振器が、前記第１〜第４の共振器の長さ方向に平行で前記各誘電体層の主面に直交する平面に関して面対称に配置されているとともに、前記第１〜第４の共振器に夫々第１〜第４の入出力端子が電気的に接続され、前記第１の入出力端子と前記第２の入出力端子が電気的に接続され、前記第３の入出力端子と前記第４の入出力端子が電気的に接続されていることを特徴とするものである。
【００１２】
本発明のフィルタ装置は、上記構成において好ましくは、前記各接地電極、または前記各片端短絡矩形状共振電極の前記短絡端および前記各接地電極が、前記誘電体層の内部に形成された貫通導体および側面の少なくとも一方に形成された側面導体により電気的に接続されているものである。
【発明の効果】
【００１３】
本発明のフィルタ装置（第１のフィルタ装置）によれば、第１および第２の共振器ならびに第３および第４の共振器が、第１〜第４の共振器の長さ方向に平行で各誘電体層の主面に直交する平面に関して面対称に配置されていることから、複数の誘電体層を積層する工程において発生する積層ずれが発生した場合でも、第１および第３の共振器間で形成される電磁界結合と第２および第４の共振器間で形成される電磁界結合との増減の割合が一定となる。その結果、第１および第３の共振器間で形成される電磁界結合と第２および第４の共振器間で形成される電磁界結合との増減によるフィルタ特性の減衰極の変動を互いに相殺させることが可能となり、フィルタ特性の減衰極の変動を低減することができる。
【００１４】
本発明のフィルタ装置（第２のフィルタ装置）は、各接地電極、または各片端短絡矩形状共振電極の短絡端および各接地電極が、誘電体層の内部に形成された貫通導体および側面の少なくとも一方に形成された側面導体により電気的に接続されている場合、積層された複数の誘電体層の内部に形成するフィルタ装置の設計自由度が向上するとともに、小型で高性能なフィルタ装置を提供することができる。
【発明を実施するための最良の形態】
【００１５】
本発明のフィルタ装置について以下に詳細に説明する。図１は、本発明の実施の形態の一例を示す透視斜視図であり、図２は図１のフィルタ装置を平面視した（積層方向から見た）透視平面図、図３は図２におけるａ−ａ’線断面図である。図１〜図３において、２１は第１の誘電体層、２２は第１の誘電体層２１の上に積層された第２の誘電体層、２３は第２の誘電体層２２の上に積層された第３の誘電体層、１５は第１の誘電体層２１の下面に配された第１の接地電極、１６は第３の誘電体層２３の上面に配された第２の接地電極、３１および３２はそれぞれ第１および第２の誘電体層２１，２２の間に配した第１および第２の片端開放矩形状共振電極、４１および４２はそれぞれ第１および第２の誘電体層２１，２２の間に配した第１および第２の片端短絡矩形状共振電極、３３および３４はそれぞれ第２および第３の誘電体層２２，２３の間に配した第３および第４の片端開放矩形状共振電極、４３および４４はそれぞれ第２および第３の誘電体層２２，２３の間に配した第３および第４の片端短絡矩形状共振電極、５０は第１〜第４の片端開放矩形状共振電極３１〜３４のそれぞれの開放端、５１は第１〜第４の片端短絡矩形状共振電極４１〜４４のそれぞれの短絡端である。
【００１６】
そして、図１〜図３に示すように、第１および第３の片端開放矩形状共振電極３１，３３は第２の誘電体層２２を挟んでそれぞれの少なくとも一部が平面視で重なるように平行に配され、第２および第４の片端開放矩形状共振電極３２，３４は第２の誘電体層２２を挟んでそれぞれの少なくとも一部が平面視で重なるように平行に配されている。また、第１および第３の片端短絡矩形状共振電極４１，４３は第２の誘電体層２２を挟んでそれぞれの少なくとも一部が平面視で重なるように平行に配され、第２および第４の片端短絡矩形状共振電極４２，４４は第２の誘電体層２２を挟んでそれぞれの少なくとも一部が平面視で重なるように平行に配されている。また、第１および第２の接地電極１５，１６は平面視で第１〜第４の片端開放矩形状共振電極３１〜３４ならびに第１〜第４の片端短絡矩形状共振電極４１〜４４を覆うように配されている。
【００１７】
そして、第１の片端開放矩形状共振電極３１の開放端５０と反対側の端部と、第１の片端短絡矩形状共振電極４１の短絡端５１と反対側の端部とを電気的に接続して第１の共振器１１を形成し、第２の片端開放矩形状共振電極３２の開放端５０と反対側の端部と、第２の片端短絡矩形状共振電極４２の短絡端５１と反対側の端部とを電気的に接続して第２の共振器１２を形成し、第３の片端開放矩形状共振電極３３の開放端５０と反対側の端部と、第３の片端短絡矩形状共振電極４３の短絡端５１と反対側の端部とを電気的に接続して第３の共振器１３を形成し、第４の片端開放矩形状共振電極３４の開放端５０と反対側の端部と、第４の片端短絡矩形状共振電極４４の短絡端５１と反対側の端部とを電気的に接続して第４の共振器１４を形成している。
【００１８】
そして、さらに、第１および第２の共振器１１，１２ならびに第３および第４の共振器１３，１４とが、第１〜第４の共振器１１〜１４の長さ方向平行で各誘電体層の主面に直交する平面に関して面対称に配置されているとともに、第１〜第４の共振器１１〜１４にそれぞれ第１〜第４の入出力端子６１ａ，６１ｂ，６２ａ，６２ｂが電気的に接続され、第１の入出力端子６１ａと第２の入出力端子６１ｂが電気的に接続され、第３の入出力端子６２ａと第４の入出力端子６２ｂが電気的に接続されている。そして、伝送線路を介して外部回路に電気的に接続され、高周波信号が入出力される。
【００１９】
このような構成の本発明のフィルタ装置は、第１および第２の接地電極１５，１６間、または第１および第２の接地電極４０，４１および第１〜第４の片端短絡矩形状共振電極４１〜４４の短絡端５１を積層方向に電気的に接続する接地接続導体、および接続導体として誘電体層の内部に形成された貫通導体（図示せず）および側面に形成された側面導体の少なくとも一方を用いて構成することにより、３次元的な配線設計が可能となり、積層された複数の誘電体層の内部に形成するフィルタ装置の設計自由度が向上するので、小型で高性能なフィルタ装置となる。
【００２０】
本発明のフィルタ装置を構成するに当たり、第１〜第３の誘電体層２１〜２３、第１および第２の接地電極１５，１６、第１〜第４の片端開放矩形状共振電極３１〜３４、第１〜第４の片端短絡矩形状共振電極４１〜４４は、周知の高周波用配線基板に使用される種々の材料，形態のものを使用することができる。
【００２１】
本発明のフィルタ装置に用いる第１〜第３の誘電体層２１〜２３としては、例えばアルミナセラミックス，ムライトセラミックス等のセラミックス材料やガラスセラミックス等の無機系材料、あるいは四ふっ化エチレン樹脂（ポリテトラフルオロエチレン；ＰＴＦＥ），四ふっ化エチレン−エチレン共重合樹脂（テトラフルオロエチレン−エチレン共重合樹脂；ＥＴＦＥ），四ふっ化エチレン−パーフルオロアルコキシエチレン共重合樹脂（テトラフルオロエチレン−パーフルテロアルキルビニルエーテル共重合樹脂；ＰＦＡ）等のフッ素樹脂やガラスエポキシ樹脂，ポリイミド等の樹脂系材料等が用いられる。これらの材料による第１〜第３の誘電体層２１〜２３の形状や寸法（厚みや幅，長さ）は、使用される周波数や用途等に応じて設定される。
【００２２】
本発明のフィルタ装置における第１および第２の接地電極１５，１６、第１〜第４の片端開放矩形状共振電極３１〜３４、第１〜第４の片端短絡矩形状共振電極４１〜４４、貫通導体は、高周波信号伝送用の金属材料の導体層、例えばＣｕ層、Ｍｏ−Ｍｎのメタライズ層上にＮｉメッキ層およびＡｕメッキ層を被着させたもの、Ｗのメタライズ層上にＮｉメッキ層およびＡｕメッキ層を被着させたもの、Ｃｒ−Ｃｕ合金層、Ｃｒ−Ｃｕ合金層上にＮｉメッキ層およびＡｕメッキ層を被着させたもの、Ｔａ２Ｎ層上にＮｉ−Ｃｒ合金層およびＡｕメッキ層を被着させたもの、Ｔｉ層上にＰｔ層およびＡｕメッキ層を被着させたもの、またはＮｉ−Ｃｒ合金層上にＰｔ層およびＡｕメッキ層を被着させたもの等を用いて、厚膜印刷法あるいは各種の薄膜形成方法やメッキ法等により形成される。その厚みや幅も、伝送される高周波信号の周波数や用途等に応じて設定される。
【００２３】
本発明のフィルタ装置に用いる第１〜第３の誘電体層２１〜２３の形成にあたっては、例えば誘電体層がガラスセラミックスから成る場合であれば、まず誘電体層となるガラスセラミックスのグリーンシートを準備し、これに所定の打ち抜き加工を施して貫通導体となる貫通孔を形成した後、スクリーン印刷法によりＣｕ等の導体ペーストを貫通孔に充填するとともに、所定の伝送線路パターンおよびその他の導体層のパターンを印刷塗布する。次に、８５０〜１０００℃で焼成を行ない、最後に外表面に露出している導体層上にＮｉメッキおよびＡｕメッキを施す。
【００２４】
図１〜図３に示す構成の本発明のフィルタ装置ならびに図６および図７に示す従来のフィルタ装置は、同一のフィルタ特性を実現でき、図４はその代表的なフィルタ特性を示したものである。図４において、横軸は周波数（単位：ＧＨｚ）を、縦軸は挿入損失（単位：ｄＢ）を、ｆｒは減衰極を表す。
【００２５】
図５は、図１〜図３に示す構成の本発明のフィルタ装置ならびに図６および図７に示す従来のフィルタ装置の構造モデルを３次元電磁界解析シミュレータで作成し、幅方向の積層ずれ量として±１００μｍを考慮した場合のシミュレーション結果における減衰極ｆｒの変化量を示す各線図（グラフ）である。
【００２６】
例えば、図１〜図３に示す構成の本発明のフィルタ装置におけるシミュレーションの場合、第１〜第３の誘電体層２１〜２２の厚みをそれぞれ０.１〜０.２ｍｍ、第１〜第４の片端開放矩形状共振電極３１〜３４の各共振電極の幅Ｗ１と長さＬ１をそれぞれＷ１＝０.７〜１.４ｍｍ、Ｌ１＝４〜６ｍｍ、第１および第３の片端開放矩形状共振電極３１，３３ならびに第２および第４の片端開放矩形状共振電極３２，３４が平面視で重なる部分の幅Ｗ２をＷ２＝０.４〜０.８ｍｍ、第１〜第４の片端短絡矩形状共振電極４１〜４４の各共振電極の幅Ｗ３と長さＬ２をそれぞれＷ３＝０.７〜１.４ｍｍ、Ｌ２＝４〜６ｍｍ、第１および第３の片端短絡矩形状共振電極４１，４３ならびに第２および第４の片端短絡矩形状共振電極４２，４４が平面視で重なる部分の幅Ｗ４をＷ４＝０.２〜０.４ｍｍとしている。そして、第１および第２の共振器１１，１２がある面と第３および第４の共振器１３，１４がある面とが幅方向に積層ずれした量として±１００μｍを考慮した場合についてシミュレーションを実施した。また、図６および図７に示す従来の平衡型積層ストリップラインフィルタにおいても、同様の構造モデルを３次元電磁界解析シミュレータで作成し、幅方向の積層ずれ量として±１００μｍを考慮した場合についてシミュレーションを実施した。
【００２７】
図５において、横軸は幅方向の積層ずれ量（単位：μｍ）を、縦軸は減衰極ｆｒの変化量（単位：ＧＨｚ）を表し、各特性曲線は、Ａが図１〜図３に示す本発明のフィルタ装置における結果を、Ｂが図６および図７に示す従来のフィルタ装置における結果を示している。
【００２８】
図５に示す結果から明らかなように、本発明のフィルタ装置によれば、複数の誘電体層を積層する工程において発生する積層ずれによる、フィルタ特性の減衰極の変動を低減することができる。
【００２９】
例えば、積層ずれ量−１００μｍ，＋１００μｍにおける減衰極ｆｒの変化量についてみると、図５のＡは衰極ｆｒの変化量が０.０１ＧＨｚ、Ｂは減衰極ｆｒの変化量が０.１７ＧＨｚであり、従来のフィルタ装置における結果Ｂに比べて、本発明のフィルタ装置における結果Ａは、減衰極ｆｒの変化量を低減することができることが分かる。
【００３０】
また、本発明のフィルタ装置は、上記構成において好ましくは、第１および第２の接地電極１５，１６を積層方向に電気的に接続する接地接続導体および第１〜第４の片端短絡矩形状共振電極４１〜４４の短絡端５１を積層方向に電気的に接続する接続導体が誘電体層の内部に形成された貫通導体および側面に形成された側面導体の少なくとも一方であることを特徴とするものであり、これにより、積層された複数の誘電体層の内部に形成するフィルタ装置の設計自由度が向上するとともに、小型で高性能なフィルタ装置となる。
【００３１】
なお、本発明は以上の実施の形態の例に限定されるものではなく、本発明の要旨を逸脱しない範囲で種々の変更，改良を加えることは何ら差し支えない。
【図面の簡単な説明】
【００３２】
【図１】本発明のフィルタ装置の実施の形態の一例を示す透視斜視図である。
【図２】本発明のフィルタ装置の実施の形態の一例を示す透視平面図である。
【図３】本発明のフィルタ装置の実施の形態の一例を示す、図２におけるａ−ａ’線断面図である。
【図４】本発明のフィルタ装置および従来のフィルタ装置における挿入損失の例を示す線図である。
【図５】本発明のフィルタ装置および従来のフィルタ装置における幅方向の積層ずれ量に対する減衰極の変化量の例を示す線図である。
【図６】従来のフィルタ装置の例を示す透視斜視図である。
【図７】従来のフィルタ装置の例を示す断面図である。
【符号の説明】
【００３３】
１１・・・第１の共振器
１２・・・第２の共振器
１３・・・第３の共振器
１４・・・第４の共振器
２１・・・第１の誘電体層
２２・・・第２の誘電体層
２３・・・第３の誘電体層
１５・・・第１の接地電極
１６・・・第２の接地電極
３１・・・第１の片端開放矩形状共振電極
３２・・・第２の片端開放矩形状共振電極
３３・・・第３の片端開放矩形状共振電極
３４・・・第４の片端開放矩形状共振電極
４１・・・第１の片端短絡矩形状共振電極
４２・・・第２の片端短絡矩形状共振電極
４３・・・第３の片端短絡矩形状共振電極
４４・・・第４の片端短絡矩形状共振電極
５０・・・開放端
５１・・・短絡端
６１ａ・・・第１の入出力端子
６１ｂ・・・第２の入出力端子
６２ａ・・・第３の入出力端子
６２ｂ・・・第４の入出力端子
【図１】
2005130248.tif 000003
【図２】
2005130248.tif 000004
【図３】
2005130248.tif 000005
【図４】
2005130248.tif 000006
【図５】
2005130248.tif 000007
【図６】
2005130248.tif 000008
【図７】
2005130248.tif 000009